(57)【要約】【課題】大型の貨物自動車（トラック）の荷台の高さに一致させて建造されている高床の倉庫にフォークリフトを利用して多量の貨物を収納し、あるいは前記高床の倉庫から貨物を搬出することは、フォークリフトの操作が極めて面倒であり、危険も伴うという問題があり、その解決策が課題となっている。【解決手段】前記トラックの荷台および高床の倉庫に接近したフォークリフトのフォークを上下に移動することなく、多量の貨物を搬入し、または搬出するために、前記荷台の高さのプラットホームを組み立てることができるようにし、このプラットホームに地上からフォークリフトを利用して貨物を運び上げ、あるいは地上に降下することを容易にする可動スロープ台を具備する装置を提供する。【選択図】図１
2007161478.tif 000002
【特許請求の範囲】
【請求項１】
複数個の支柱によって支持して、少なくとも大型のトラックの荷台、または前記荷台の高さに相当する倉庫の床の高さに一致するようにした頂部盤面を有する複数個の台座を前後左右に隣接して配置して所望の形状と広さの盤面を組み立てることができるようにしたプラットホームと、
前記プラットホームの一方の側面に接触することができるように配置し、フォークリフトを地上から前記プラットホームの頂部盤面上にまで上昇するように移動させ、また前記プラットホームの頂部盤面から地上にまで下降させるために、後方から前方に向けて傾斜することができるようにしたスロープ台を配置するようにしたことと、
前記スロープ台の先端部を必要に応じて上方に折り曲げることができるようにしたことを特徴とするコンテナ用フォークリフトの可動式プラットホーム。
【請求項２】
前記スロープ台を間隔を取って配列した２列の部分から成るようにしたことを特徴とする請求項１に記載のコンテナ用フォークリフトの可動式プラットホーム。
【請求項３】
前記スロープ台を電動式ピストン装置と、前記ピストン装置によって水平に前後に移動するようにしたピストンロッドと、前記ピストンロッドに枢着し、第二のロッドの移動により必要に応じて上下に移動することができるようにしたことを特徴とする請求項１に記載のコンテナ用フォークリフトの可動式プラットホーム。
【発明の詳細な説明】
【技術分野】
【０００１】  この発明は荷役作業におけるフォークリフトの作業を容易に行うようにするための可動式プラットホームに関する。
【背景技術】
【０００２】  例えば港湾や飛行場等に隣接する地域には、多量の貨物を一時的に収容するための倉庫が建設されている。これらの地上に置かれた貨物を倉庫に運び込むには、フォークリフトを使用するか、あるいはトラックを用いる必要がある。そのトラックを使用する場合であっても、地上に置かれた貨物をトラックの荷台に移動するためには、やはり、フォークリフトを使用しなければならない。【０００３】  最近では、特にトラックに積載した多量の貨物を倉庫に収容し、あるいは倉庫から多量の貨物を移動することを簡易化するために、倉庫の床をトラックの荷台の高さに一致させた、いわゆる高い床の倉庫が多用されている。
【発明の開示】
【発明が解決しようとする課題】
【０００４】  以上に述べた従来の手段によると、地上に下ろした多量の貨物を前述のトラックの荷台の高さに一致させて建造されている高床の倉庫にフォークリフトを利用して収納したり、あるいはこれら高床の倉庫から、フォークリフトを使用して取り出して移動するためには、その操縦操作が面倒であって、多くの時間を費やし、また転倒その他の危険もあるという解決を必要とする多くの課題が山積している。【０００５】  この発明は、以上に述べた従来の手段の極めて多くの問題点を、難なく解決することができるようにする荷役作業におけるフォークリフトの運転を容易に行うようにするために、必要に応じて、極めて容易に倉庫等の直前に組み立てることができる可動式プラットホームを提供するものである。【０００６】  すなわち、フォークリフトの運転台の下方から前方に長く伸長するフォークで、地上にうず高く積まれた多数の貨物を取り上げ、これを高床の倉庫の前にまで運搬すると、前記フォークを上下に移動することなく、前記高床の倉庫内に収容することができ、また、以上とは反対に前記高床の倉庫内に収容されている多数の貨物をその倉庫から地上の他の場所に移す場合にも、前記フォークを上下に移動することなく、容易に運び出すことができるコンテナ用フォークリフトの可動式プラットホームを提供することにある。【０００７】  この発明は、さらにフォークリフトを使用する必要がない場合には、極めて簡単に前記プラットホームを分解して、倉庫等の前などの組み立てて配置した場所から、極めて容易に解体し、除去することができるコンテナ用フォークリフトの可動式プラットホームを提供することにある。【０００８】  特に、この発明のコンテナ用フォークリフトの可動式プラットホームは、貨物を運搬するためのフォークリフトを、地上よりも高いプラットフォームの上面に容易に上昇移動させ、またプラットホームの上面から地上に導くようにすることができるスロープ台を具備し、これを必要に応じて、地上との連絡を遮断することができるように、前記スロープ台の先端の部分を上方に折り曲げて持ち上げることのできる可動スロープ台とすることに特徴がある。
【課題を解決するための手段】
【０００９】  この発明は上記の目的を達成するために、複数個の支柱によって支持して、少なくとも大型のトラックの荷台、または前記荷台の高さに相当する倉庫の床の高さに一致するようにした頂部盤面を有する複数個の台座を前後左右に隣接して配置して、所望の形状と広さの盤面を組み立てることができるようにしたプラットホームと、前記プラットホームの一方の側面に接触することができるように配置し、フォークリフトを地上から前記プラットホームの頂部盤面上にまで上昇するように移動させ、また前記プラットフォームの頂部盤面から地上にまで下降させるために、後方から前方に向けて傾斜することができるようにしたスロープ部材を配置するようにしたことと、前記スロープ部材の先端部を必要に応じて上方に折り曲げることができるようにしたこととを特徴とするコンテナ用フォークリフトの可動式プラットホームを提供するのである。
【発明の効果】
【００１０】  この発明のコンテナ用フォークリフトの可動式プラットホームは、前述した高床の倉庫にフォークリフトを使用して多量の貨物を収納し、あるいは、それとは反対に、高床の倉庫内に収容されている多数の貨物をフォークリフトを用いて運び出すのに頗る便利であり、それに直接従事する荷役関係者以外の者が、勝手にプラットホームの上部に接近して不慮の事故を起こすことがないようにすることができる、極めて効果のある手段を提供するものである。
【発明を実施するための最良の形態】
【００１１】  この発明のコンテナ用フォークリフトの可動式プラットホーム（以下、説明を簡単にするために、単に、「プラットホーム」という）の好ましい実施の形態を、添付図面に基づいて詳細に説明する。【００１２】  図１は複数個の台座から成るプラットホーム（１０）と、一台のトラック（Ｔ）と、一台のフォークリフト（Ｌ）と、複数の貨物（Ｆ）と、前記プラットホーム（１０）に隣接して配置した、この発明の要部とも言うべき可動スロープ台（１２）との相互関係をわかりやすく説明する略斜視図である。【００１３】  プラットホーム（１０）は鋼材の堅牢な支柱（１４）と四角形の頂部盤面（１６）とを備える単体の床部材であって、これら床部材の複数個を必要に応じて、前後左右に配列して、前述した高床の倉庫（図示してない）の前面に配列してフォークリフト（Ｌ）が利用するためのプラットホームを構成する。この床部材の地上からの高さは、トラック（Ｔ）の荷台の高さ、および高床の倉庫の床の高さと一致するように選択することが好ましい。【００１４】  前記可動スロープ台（１２）は、フォークリフト（Ｌ）を地表からプラットホーム（１０）の上に、またプラットホーム（１０）の上から地表に下ろす場合に利用するためのものであって、プラットホーム（１０）の一部の前方の側面とプラットホーム（１０）の長手方向の一方の側面とに隣接して配置する。【００１５】  可動スロープ台（１２）の高さは隣接するプラットホーム（１０）と同一の高さの平面を構成することが出来るように、プラットホーム（１０）の支柱（１４）と同一の高さの支柱（２０）で支持するようにしてあり、可動スロープ台（１２）の後側面は支柱（２０）の頂部に枢着してあって、それから前方に伸長し、その最前端の支柱（２０）で支持してあり、可動式プラットホーム（１０）の上面と一致するようにしてある。【００１６】  しかしながら、可動スロープ台（１２）は使用するとき、つまりフォークリフト（Ｌ）を地表からプラットホーム（１０）の上に、またプラットホーム（１０）の上から地表に下ろす場合には、可動スロープ台（１２）の先端部（２２）が地表に支持されるようにしてある。この先端部（２２）にフォークリフト（Ｌ）の荷重等が加わった時の補強を考慮して、図２に示すように前記先端部（２２）の下面に車輪（２４）等を設けることが望ましい。【００１７】  この可動スロープ台（１２）の先端部（２２）は、フォークリフト（Ｌ）による荷役作業が完了して、可動スロープ台（１２）を利用する必要がなくなった場合には、荷役に関係することのない第三者等がプラットホーム（１０）の上面に登って、怪我などをする危険を未然に回避するために、図２の矢印Ａに示す方向に折り曲げて、跳ね上げることができるように構成してある。【００１８】  すなわち、可動スロープ台（１２）の先端部（２２）を矢印Ａに示す上方に反転して可動スロープ台（１２）およびプラットホーム（１０）の表面に接近することができない障壁となるようにしてある。これを反転するには、たとえば、フォークリフトの運転手等が可動スロープ台（１２）の地表に接している先端部（２２）を矢印Ａに示す方向に持ち上げて折り曲げればよく、その作業は極めて容易簡単に��うことが出来る。【００１９】  さらに、可動スロープ台（１２）の先端部（２２）を上方に折り曲げた状態のままで、可動スロープ台（１２）を水平の位置に戻すためには、極めて簡単な機械運動機構、たとえば、それ自体公知の行程を変更するクランク機構を利用する。【００２０】  その機構の一例について説明すると、図２に示すように、可動スロープ台（１２）の下方の適当な位置に電動式ピストン装置（２６）が固定してある。このピストン装置（２６）の内部のピストン（図示してない）から外方に伸長するピストンロッド（２８）の作動に従って前後に移動するものである。このピストン装置（２６）は可動スロープ台（１２）の適当な位置に取り付けたスイッチ（図示してない）を「オン」にすることによって作動するものである。ピストンロッド（２８）の先端には第一のピン部材（３０）で第二のロッド（３２）が枢着してあり、第二のロッド（３２）が図２に矢印Ｃで示す方向に起立して、可動スロープ台（１２）を図２に示すように上部に押し上げて水平にする。【００２１】  なお、第二のロッド（３２）が図２に矢印Ｃで示す方向に起立することによって、可動スロープ台（１２）の先端部（２２）のみが、図示のように上方に折り曲げられた状態を維持したままの状態で、その後方の部分はプラットホーム（１０）の上面と一致した平面にもどる。
【図面の簡単な説明】
【００２２】
【図１】この発明の実施形態を示すコンテナ用フォークリフトの可動式プラットホームの各要部の相互関係をわかりやすく示す略斜視図。
【図２】同コンテナ用フォークリフトの可動式プラットホームの側面図。
【符号の説明】
【００２３】  １０  プラットホーム
１２  可動スロープ台
１４，２０  支柱
１６  頂部盤面
２２  可動スロープ台の先端部
２４  車輪
２６  電動式ピストン装置
２８  ピストンロッド
３０  第一のピン部材
３２  第二のロッド
【図１】
2007161478.tif 000003
【図２】
2007161478.tif 000004